(57)【特許請求の範囲】
【請求項１】
水平方向に離れた第１単管建地と第２単管建地との間で互いに交差するように配設され、前記第１単管建地と前記第２単管建地とを連結する第１斜材及び第２斜材を備えた単管建地用先行筋交いにおいて、
前記第１斜材の上部は、前記第１単管建地に固定された第１上側クランプ部材に連結される第１上部楔材を有し、
前記第１斜材の下部は、前記第２単管建地に固定された第２下側クランプ部材に連結される第１下部楔材を有し、
前記第２斜材の上部は、前記第２単管建地に固定された第２上側クランプ部材に連結される第２上部楔材を有し、
前記第２斜材の下部は、前記第１単管建地に固定された第１下側クランプ部材に連結される第２下部楔材を有し、
前記第１斜材の上部には、前記第１単管建地の外周面に接触し、当該外周面によって上下方向に案内される第１被案内部が設けられていることを特徴とする単管建地用先行筋交い。
【請求項２】
請求項１に記載の単管建地用先行筋交いにおいて、
前記第２斜材の上部には、前記第２単管建地の外周面に接触し、当該外周面によって上下方向に案内される第２被案内部が設けられていることを特徴とする単管建地用先行筋交い。
【請求項３】
請求項１または２に記載の単管建地用先行筋交いにおいて、
前記第１被案内部は、前記第１斜材の上部に連結される第１連結部と、前記第１斜材及び前記第１単管建地の正面視で前記第１連結部から前記第１単管建地の正面側まで延びる正面側延出部とを有していることを特徴とする単管建地用先行筋交い。
【請求項４】
請求項２に記載の単管建地用先行筋交いにおいて、
前記第１被案内部は、前記第１斜材及び前記第１単管建地の背面視で前記第１単管建地の背面側まで延びる背面側延出部を有していることを特徴とする単管建地用先行筋交い。
【請求項５】
請求項１から４のいずれか１つに記載の単管建地用先行筋交いにおいて、
前記第１斜材の上部から前記第２斜材の上部まで延び、前記第１斜材の上部及び前記第２斜材の上部に連結される手摺を備えていることを特徴とする単管建地用先行筋交い。
【請求項６】
水平方向に離れた第１単管建地及び第２単管建地と、
前記第１単管建地に固定された第１上側クランプ部材と、
前記第１単管建地における前記第１上側クランプ部材よりも下に固定された第１下側クランプ部材と、
前記第２単管建地に固定された第２上側クランプ部材と、
前記第２単管建地における前記第２上側クランプ部材よりも下に固定された第２下側クランプ部材と、
前記第１単管建地と前記第２単管建地との間で互いに交差するように配設され、前記第１単管建地と前記第２単管建地とを連結する第１斜材及び第２斜材を有する単管建地用先行筋交いとを備えた仮設足場において、
前記第１斜材の上部は、前記第１単管建地に固定された前記第１上側クランプ部材に連結される第１上部楔材を有し、
前記第１斜材の下部は、前記第２単管建地に固定された前記第２下側クランプ部材に連結される第１下部楔材を有し、
前記第２斜材の上部は、前記第２単管建地に固定された前記第２上側クランプ部材に連結される第２上部楔材を有し、
前記第２斜材の下部は、前記第１単管建地に固定された前記第１下側クランプ部材に連結される第２下部楔材を有し、
前記第１斜材の上部には、前記第１単管建地の外周面に接触し、当該外周面によって上下方向に案内される第１被案内部が設けられていることを特徴とする仮設足場。
【発明の詳細な説明】
【技術分野】
【０００１】
本発明は、仮設足場を構築する際に使用される単管建地用先行筋交い及び仮設足場に関するものである。
【背景技術】
【０００２】
例えば各種建築物の建設現場や補修作業現場では、その建築物の規模や構造等に応じた仮設足場が構築される。仮設足場は、複数本の建地、建地同士を連結する布材、足場板、筋交い、手摺等を組み合わせて構築されている。例えば特許文献１〜３に開示されているように、筋交いは、隣合う建地を連結する一対の斜材が互いに交差するように配置されているものであり、各斜材の端部は建地に対してクサビを介して連結される。
【先行技術文献】
【特許文献】
【０００３】
【特許文献１】特開２０１０−５９６３１号公報
【特許文献２】特開２０１２−８７５９６号公報
【特許文献３】特開２０１５−９８７４０号公報
【発明の概要】
【発明が解決しようとする課題】
【０００４】
ところで、建築物が高い場合には、仮設足場を高層化する必要がある。このような高層化された仮設足場は下層から上層へ順に構築していくことになるが、筋交いが取り付けられていない足場上で作業者が作業することは安全上、好ましくないため、作業者が階下の足場上で、未だ足場板が設置されていない階上の筋交いを取付可能にすることが考えられる。このような筋交いは、階上の足場板の設置に先行して取り付けられる筋交いであることから、先行筋交いと呼ぶことができる。
【０００５】
先行筋交いは、階下から階上へ移動させた後、階上の建地に固定しなければならないが、階下からの作業になるので作業者は先行筋交いの下部しか持つことができず、先行筋交いの上部の動きを拘束するものがない。先行筋交いは細長い斜材を組み合わせた構造であるとともに、斜材同士は相対的な動きが許容された状態で連結されているものなので、上部の動きを拘束できない状態、即ち上部がフリーな状態になっていると不安定になる。このため、先行筋交いを建地に沿って階上へ移動させる作業が簡単であるとは言い難く、施工性が悪い。また、先行筋交いは、水平方向に複数設けられるとともに、階数に応じて高さ方向にも複数設けられるので、上述した作業を繰り返し行わなければならず、作業者に大きな負担となる。
【０００６】
本発明は、かかる点に鑑みてなされたものであり、その目的とするところは、先行筋交いの施工性を向上させて短時間での設置を可能にすることにある。
【課題を解決するための手段】
【０００７】
上記目的を達成するために、本開示の第１の側面では、水平方向に離れた第１単管建地と第２単管建地との間で互いに交差するように配設され、前記第１単管建地と前記第２単管建地とを連結する第１斜材及び第２斜材を備えた単管建地用先行筋交いを前提とすることができる。前記第１斜材の上部は、前記第１単管建地に固定された第１上側クランプ部材に連結される第１上部楔材を有し、前記第１斜材の下部は、前記第２単管建地に固定された第２下側クランプ部材に連結される第１下部楔材を有し、前記第２斜材の上部は、前記第２単管建地に固定された第２上側クランプ部材に連結される第２上部楔材を有し、前記第２斜材の下部は、前記第１単管建地に固定された第１下側クランプ部材に連結される第２下部楔材を有している。前記第１斜材の上部には、前記第１単管建地の外周面に接触し、当該外周面によって上下方向に案内される第１被案内部が設けられている。
【０００８】
この構成によれば、第１単管建地及び第２単管建地を使用して多層階の仮設足場を構築する際、階上の足場板を設置する前に、階下から階上へ先行筋交いを移動させて階上に上げる。このとき、作業者は先行筋交いの第１斜材及び第２斜材の下部しか持つことができないが、第１斜材の上部に設けられている第１被案内部が第１単管建地の外周面に接触し、当該外周面によって上方に案内されるので、先行筋交いを第１単管建地に沿って安定した状態で上方へ移動させることが可能になる。これにより、先行筋交いの施工性が向上する。
【０００９】
本開示の第２の側面では、前記第２斜材の上部に、前記第２単管建地の外周面に接触し、当該外周面によって上下方向に案内される第２被案内部が設けられている。
【００１０】
この構成によれば、階下から階上へ先行筋交いを移動させて階上に上げるとき、第２斜材の上部に設けられている第２被案内部が第２単管建地の外周面に接触し、当該外周面によって上方に案内されるので、先行筋交いを第１単管建地及び第２単管建地の両方に沿って安定した状態で上方へ移動させることが可能になる。
【００１１】
本開示の第３の側面では、前記第１被案内部が、前記第１斜材の上部に連結される第１連結部と、前記第１斜材及び前記第１単管建地の正面視で前記第１連結部から前記第１単管建地の正面側まで延びる正面側延出部とを有している。
【００１２】
この構成によれば、第１被案内部が第１斜材の上部に連結された状態で、正面側延出部が第１単管建地の正面に配置されるので、第１斜材が背面側へ倒れようとした時に正面側延出部が第１単管建地の正面に接触する。これにより、第１斜材の背面側への倒れが抑制される。尚、第２被案内部が、第２斜材の上部に連結される第２連結部と、第２斜材及び第２単管建地の正面視で第２連結部から第２単管建地の正面側まで延びる正面側延出部を有していてもよい。
【００１３】
本開示の第４の側面では、前記第１被案内部が、前記第１斜材及び前記第１単管建地の背面視で前記第１単管建地の背面側まで延びる背面側延出部を有している。
【００１４】
この構成によれば、第１被案内部が第１斜材の上部に連結された状態で、背面側延出部が第１単管建地の背面に配置されるので、第１斜材が表側へ倒れようとした時に背面側延出部が第１単管建地の背面に接触する。これにより、第１斜材の表側への倒れが抑制される。尚、第２被案内部が、第２斜材及び第２単管建地の正面視で第２連結部から第２単管建地の背面側まで延びる背面側延出部を有していてもよい。
【００１５】
本開示の第５の側面では、前記第１斜材の上部から前記第２斜材の上部まで延び、前記第１斜材の上部及び前記第２斜材の上部に連結される手摺を備えている。
【００１６】
この構成によれば、第１斜材及び第２斜材と共に手摺を先行して取り付ける場合に、第１斜材、第２斜材及び手摺を安定した状態で階下から階上へ移動させることができる。
【００１７】
本開示の第６の側面では、水平方向に離れた第１単管建地及び第２単管建地と、前記第１単管建地に固定された第１上側クランプ部材と、前記第１単管建地における前記第１上側クランプ部材よりも下に固定された第１下側クランプ部材と、前記第２単管建地に固定された第２上側クランプ部材と、前記第２単管建地における前記第２上側クランプ部材よりも下に固定された第２下側クランプ部材と、前記第１単管建地と前記第２単管建地との間で互いに交差するように配設され、前記第１単管建地と前記第２単管建地とを連結する第１斜材及び第２斜材を有する単管建地用先行筋交いとを備えた仮設足場とすることができる。
【発明の効果】
【００１８】
以上説明したように、第１斜材の上部に設けた第１被案内部が第１単管建地の外周面によって上方へ案内されるので、先行筋交いの施工性を向上させることができ、先行筋交いを短時間で設置できる。
【図面の簡単な説明】
【００１９】
【図１】本発明の実施形態に係る単管建地用先行筋交いの正面図である。
【図２】１階部分の単管建地に筋交い及び手摺を取り付けた状態を示す仮設足場の正面図である。
【図３】２階部分に単管建地に単管建地用先行筋交い及び手摺を取り付けた状態を示す仮設足場の正面図である。
【図４】２階部分に足場板を設置した状態を示す仮設足場の正面図である。
【図５】単管建地用先行筋交いを使用して構築された仮設足場の正面図である。
【図６】フランジ型のクランプ部材を単管建地に固定した状態を示す斜視図である。
【図７】フランジ型のクランプ部材の斜視図である。
【図８】展開状態にあるフランジ型のクランプ部材の平面図である。
【図９】ポケット型のクランプ部材を単管建地に固定した状態を示す斜視図である。
【図１０】ポケット型のクランプ部材の斜視図である。
【図１１】展開状態にあるポケット型のクランプ部材の平面図である。
【図１２Ａ】第１例に係る第１被案内部及び第２被案内部と単管建地を上方から見た図である。
【図１２Ｂ】第１例に係る第１被案内部及び第２被案内部と単管建地を正面から見た図である。
【図１３Ａ】第２例に係る図１２Ａ相当図である。
【図１３Ｂ】第２例に係る図１２Ｂ相当図である。
【図１４】第３例に係る図１２Ａ相当図である。
【図１５Ａ】第４例に係る図１２Ａ相当図である。
【図１５Ｂ】第４例に係る図１２Ｂ相当図である。
【図１６Ａ】第５例に係る図１２Ａ相当図である。
【図１６Ｂ】第５例に係る図１２Ｂ相当図である。
【図１７】第６例に係る図１２Ａ相当図である。
【図１８】第７例に係る図１２Ａ相当図である。
【図１９】第８例に係る図１２Ａ相当図である。
【図２０】第９例に係る図１２Ａ相当図である。
【図２１Ａ】第１０例に係る図１２Ａ相当図である。
【図２１Ｂ】第１０例に係る図１２Ｂ相当図である。
【図２２Ａ】第１１例に係る図１２Ａ相当図である。
【図２２Ｂ】第１１例に係る図１２Ｂ相当図である。
【図２３Ａ】第１２例に係る図１２Ａ相当図である。
【図２３Ｂ】第１２例に係る図１２Ｂ相当図である。
【図２４Ａ】第１３例に係る図１２Ａ相当図である。
【図２４Ｂ】第１３例に係る図１２Ｂ相当図である。
【図２５】差し込み孔が２つのタイプのクランプ部材を使用した例を示す図４相当図である。
【発明を実施するための形態】
【００２０】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００２１】
図１は、本発明の実施形態に係る単管建地用先行筋交い１の正面図である。単管建地用先行筋交い１は、図５に示すような仮設足場１００を構築する際に使用される部材である。この実施形態の説明では、単管建地用先行筋交い１を説明する前に、仮設足場１００の構成について説明する。
【００２２】
（仮設足場）
図５に示す仮設足場１００は、各種建築物の建築現場や土木作業現場において、その作業に応じて構築されるものである。建設作業以外にも、メンテナンス作業時にも仮設足場１００が構築される。図５では、正面から見た仮設足場１００の一例を示しており、建築物の規模や構造等に応じて様々な高さ、形状となるように構築される。本例では、仮設足場１００が２階以上の多層型のものが対象となる。図５では仮設足場１００が２階である場合を示しているが、３階以上の階数を有する仮設足場１００に本発明を適用することもできる。また、図５の左右方向を仮設足場１００の幅方向と定義するが、これは説明の便宜を図るためだけであり、仮設足場１００の方向を限定するものではない。
【００２３】
仮設足場１００は、本発明の実施形態に係る単管建地用先行筋交い１の他に、複数本の単管建地（第１〜第４単管建地）１０１〜１０４と、単管ベース１０５と、根がらみ１０６と、１階用筋交い１０７と、足場板１１０と、クランプ部材２００とを備えている。これらの他に、図示しないがジャッキベース、布材、幅木、壁つなぎ、階段等が仮設足場１００の構築の際に使用されることもある。これら部材によってクサビ緊結式の仮設足場１００が構築される。仮設足場１００を構成している各部材を足場構成部材と呼ぶ。
【００２４】
第１〜第４単管建地１０１〜１０４は、従来から仮設足場を構築する際に使用されている円形断面を有する金属製単管パイプからなる部材であり、鉛直方向に延びるとともに、互いに水平方向に離れて配置されている。この例では、第１〜第４単管建地１０１〜１０４を示しているが、単管建地の数は４本に限定されるものではない。第１〜第４単管建地１０１〜１０４は互いに平行である。上記金属製単管パイプは規格品として設定されている部材であり、第１〜第４単管建地１０１〜１０４は同じ単管パイプからなる。
【００２５】
第１〜第４単管建地１０１〜１０４の下端部には、単管ベース１０５が取り付けられている。単管ベース１０５が地面に当接するようになっている。また、第１〜第４単管建地１０１〜１０４の下端部近傍には、単管ベース１０５から上方に離れた部位に根がらみ１０６が設けられている。根がらみ１０６は、第１〜第４単管建地１０１〜１０４のうち、隣合う建地同士を連結する部材である。単管ベース１０５や根がらみ１０６は、必要に応じて設けることができる。
【００２６】
根がらみ１０６の上には、１階用筋交い１０７が設けられている。この１階用筋交い１０７は従来の筋交いと同じものであり、２本の斜材と手摺とで構成されている。１階用筋交い１０７は、第１〜第４単管建地１０１〜１０４に対してクランプ部材２００によって連結されている。
【００２７】
図６〜図８は、クランプ部材２００の一例としてフランジ型のクサビ緊結式足場用クランプ部材２００を示すものである。フランジ型のクランプ部材２００は、単管建地１０１を径方向に挟持する第１挟持部材２０１及び第２挟持部材２０２と、連結軸２０３と、ボルト部材２０４と、ナット２０５と、取付軸２０６とを備えている。第１挟持部材２０１及び第２挟持部材２０２は、単管建地１０１の外周面に対して該単管建地１０１の径方向（水平方向）一側及び他側からそれぞれ当接することにより、単管建地１０１を径方向に挟持（クランプ）する部材である。
【００２８】
尚、この実施形態の説明では、図７に示すようにクランプ部材２００を単管建地１０１に取り付けた状態で、クランプ部材２００の下になる側を単に「下」といい、クランプ部材２００の上になる側を単に「上」というものとする。また、第１挟持部材２０１及び第２挟持部材２０２における連結軸２０３によって連結される側を、第１挟持部材２０１及び第２挟持部材２０２の「基端側」といい、第１挟持部材２０１及び第２挟持部材２０２における連結軸２０３によって連結される側とは反対側を、第１挟持部材２０１及び第２挟持部材２０２の「先端側」というものとする。このようにクランプ部材２００の方向を定義するのは説明の便宜を図るためだけであり、クランプ部材２００の使用状態を限定するものではなく、図示した姿勢以外の姿勢でクランプ部材２００を使用することも可能である。
【００２９】
第１挟持部材２０１及び第２挟持部材２０２は、単管建地１０１の径方向に沿う方向に延びる金属製の板材で構成されている。第１挟持部材２０１及び第２挟持部材２０２には、足場構成部材が有する楔材が上方から差し込まれる差し込み部としての差し込み孔２０１ａ、２０２ａがそれぞれ形成されている。第１挟持部材２０１の基端側と、第２挟持部材２０２の基端側とが上下方向に延びる連結軸２０３によって相対回動可能に連結されている。これにより、図８に示すように第１挟持部材２０１及び第２挟持部材２０２が展開した状態とすることができる。差し込み孔２０１ａ、２０２ａの代わりに、単管建地１０１の外周面に達する切り欠き部が形成されていてもよい。
【００３０】
第２挟持部材２０２の先端部には、ボルト２０４が上下方向に延びる取付軸２０６によって相対回動可能に取り付けられている。一方、第１挟持部材２０１の先端部には、上下方向に延びる係合片２０７が固定されている。係合片２０７の上下方向中間部には切り欠き部２０７ａが形成されている。図７に示すように、第１挟持部材２０１及び第２挟持部材２０２を閉じてから、ボルト２０４を取付軸２０６周りに回動させることで、当該ボルト２０４の長手方向中間部を係合片２０７の切り欠き部２０７ａに入れることができるようになっている。ボルト２０４の長手方向中間部を切り欠き部２０７ａに入れた状態で当該ボルト２０４にナット２０５を螺合させて締め付けることで、図６に示すように、第１挟持部材２０１及び第２挟持部材２０２を単管建地１０１に締結する。
【００３１】
このようにしてクランプ部材２００を単管建地１０１に固定することができる。クランプ部材２００を単管建地１０１に固定した後、足場構成部材が有する楔材を差し込み孔２０１ａ、２０２ａに差し込むことで、足場構成部材を単管建地１０１に強固に連結できる。差し込み孔２０１ａ、２０２ａの形状や個数は任意に設定することができる。
【００３２】
図９〜図１１は、クランプ部材２００の一例としてポケット型のクサビ緊結式足場用クランプ部材２００を示すものである。ポケット型のクランプ部材２００は、上記フランジ型のクランプ部材２００と同様に、単管建地１０１を径方向に挟持する第１挟持部材２０１及び第２挟持部材２０２と、連結軸２０３と、ボルト部材２０４と、ナット２０５と、取付軸２０６とを備えている。
【００３３】
第１挟持部材２０１及び第２挟持部材２０２には、足場構成部材が有する楔材が上方から差し込まれる複数の差し込み部としてのポケットＰが周方向に互いに間隔をあけて形成されている。図９に示すように、クランプ部材２００を単管建地１０１に固定した後、足場構成部材が有する楔材をポケットＰに差し込むことで、足場構成部材を単管建地１０１に強固に連結できる。ポケットＰの形状や個数は任意に設定することができる。
【００３４】
（単管建地用先行筋交いの構造）
次に、図１に示す単管建地用先行筋交い１の構造について説明する。単管建地用先行筋交い１は、第１単管建地１０１の２階に相当する部分と、第２単管建地１０２の２階に相当する部分との間で互いに交差するように配設される第１斜材１０及び第２斜材２０とを備えている。第１斜材１０及び第２斜材２０が、第１単管建地１０１の２階に相当する部分と第２単管建地１０２の２階に相当する部分とを連結することで、仮設足場１００の強度を向上させることができるとともに、作業者の２階からの転落を抑制することができる。第１斜材１０及び第２斜材２０は、伸縮可能に構成されていてもよい。第１斜材１０及び第２斜材２０は、ブレースと呼ぶこともできる。
【００３５】
尚、この実施形態の説明では、第１単管建地１０１と第２単管建地１０２とを単管建地用先行筋交い１で連結する場合について説明するが、同じ単管建地用先行筋交い１を用いて第２単管建地１０２と第３単管建地１０３とを連結でき、また、第３単管建地１０３と第４単管建地１０４とを連結することもできる。また、同じ単管建地用先行筋交い１を用いて、第１単管建地１０１の３階に相当する部分と、第２単管建地１０２の３階に相当する部分とを連結することもできる。つまり、単管建地用先行筋交い１は、第１単管建地１０１の２階以上に相当する部分と、第２単管建地１０２の２階以上に相当する部分とを連結する足場構成部材である。
【００３６】
図４に示すように、第１単管建地１０１の２階に相当する部分には、第１上側クランプ部材２００Ａが固定されるとともに、第１上側クランプ部材２００Ａよりも下に第１下側クランプ部材２００Ｄが固定される。また、第２単管建地１０２の２階に相当する部分には、第２上側クランプ部材２００Ｃが固定されるとともに、第２上側クランプ部材２００Ｃよりも下に第２下側クランプ部材２００Ｂが固定される。第１上側クランプ部材２００Ａと、第１下側クランプ部材２００Ｄとの間隔は、第２上側クランプ部材２００Ｃと、第２下側クランプ部材２００Ｂとの間隔と同じであり、単管建地用先行筋交い１の寸法に合わせることができる。また、第１上側クランプ部材２００Ａと第２上側クランプ部材２００Ｃとは同じ高さに固定され、また、第１下側クランプ部材２００Ｄと第２下側クランプ部材２００Ｂとは同じ高さに固定されている。
【００３７】
第１斜材１０は、円形断面を有する金属製パイプで構成されており、第１単管建地１０１に連結される側が第２単管建地１０２に連結される側よりも上に位置するように傾斜した状態で直線状に延びている。第１斜材１０を構成するパイプは、第１単管建地１０１を構成するパイプよりも小径である。図１に示すように、第１斜材１０の上部は、第１上部楔材１１を有している。第１上部楔材１１は、第１斜材１０の上部から下方へ突出するように設けられており、図７に示すクランプ部材２００の差し込み孔２０１ａ、２０２ａや図９に示すクランプ部材２００のポケットＰに差し込まれる部材である。本例では、図４に示す第１上側クランプ部材２００Ａの差し込み孔２０１ａ、２０２ａ（図７に示す）またはポケットＰ（図１０に示す）に差し込まれて連結される。
【００３８】
図１に示すように、第１斜材１０の下部は、第１下部楔材１２を有している。第１下部楔材１２は、第１上部楔材１１と同様に構成することができ、本例では、図４に示す第２下側クランプ部材２００Ｂの差し込み孔２０１ａ、２０２ａ（図７に示す）またはポケットＰ（図１０に示す）に差し込まれて連結される。
【００３９】
図１に示すように、第２斜材２０は、第１斜材１０と同様な部材で構成されており、第２単管建地１０２に連結される側が第１単管建地１０１に連結される側よりも上に位置するように傾斜した状態で直線状に延びている。従って、正面から見たとき、第１斜材１０と第２斜材２０とが交差するように配置される。
【００４０】
第２斜材２０の上部は、第２上部楔材２１を有している。第２上部楔材２１は、第２斜材１０の上部から下方へ突出するように設けられており、図４に示す第２上側クランプ部材２００Ｃの差し込み孔２０１ａ、２０２ａ（図７に示す）またはポケットＰ（図１０に示す）に差し込まれて連結される。
【００４１】
図１に示すように、第２斜材２０の下部は、第２下部楔材２２を有している。第２下部楔材２２は、第２上部楔材２１と同様に構成することができ、本例では、図４に示す第１下側クランプ部材２００Ｄの差し込み孔２０１ａ、２０２ａ（図７に示す）またはポケットＰ（図１０に示す）に差し込まれて連結される。
【００４２】
単管建地用先行筋交い１は手摺３０を備えている。手摺３０は、円形断面を有する金属製パイプで構成されており、第１斜材１０の上部から第２斜材２０の上部まで略水平に延びている。手摺３０における第１単管建地１０１側の端部が第１斜材１０の上部に連結され、また、手摺３０における第２単管建地１０２側の端部が第２斜材２０の上部に連結される。手摺３０は伸縮自在に構成されていてもよい。また、手摺３０は必要に応じて設ければよく、省略してもよい。
【００４３】
図１２Ａ及び図１２Ｂに示すように、第１斜材１０の上部には、第１例に係る正面側第１被案内部４０及び背面側第１被案内部４１が設けられている。図１２Ａ及び図１２Ｂでは、第１単管建地１０１の左側に別の単管建地（図示せず）が配置されている場合を示しており、従って、２つの単管建地用先行筋交い１が左右に並ぶように設けられた状態となっている。図１２Ａ及び図１２Ｂの右側に位置する正面側第１被案内部４０及び背面側第１被案内部４１は、第１単管建地１０１と第２単管建地１０２とを連結する単管建地用先行筋交い１に設けられているものであり、図１２Ａ及び図１２Ｂの左側に位置する正面側第２被案内部６０及び背面側第２被案内部６１は、第１単管建地１０１と上記別の単管建地とを連結する単管建地用先行筋交いに設けられているものである。尚、正面側第１被案内部４０及び背面側第１被案内部４１の一方のみを設けて他方を省略してもよい。
【００４４】
正面側第１被案内部４０及び背面側第１被案内部４１は、第１単管建地１０１の外周面に接触し、当該外周面によって上下方向に案内される部材で構成されている。具体的には、正面側第１被案内部４０は、第１斜材１０の上部に連結される第１連結部４０ａと、正面側延出部４０ｂとを有している。第１連結部４０ａと正面側延出部４０ｂは、例えば金属製の板材で構成されている。第１連結部４０ａと正面側延出部４０ｂを１枚の板材で構成してもよいし、それぞれ別の板材で構成した後、接合してもよい。１枚の板材で構成する場合には、プレス成形法によって正面側第１被案内部４０を得ることができる。
【００４５】
第１連結部４０ａは、第１斜材１０の正面側に配置されて上下方向に延びており、第１斜材１０の上部に対して溶接されていてもよいし、ボルト及びナット等による締結部材で締結されていてもよい。この第１連結部４０ａは、正面側へ突出して上下方向に延びる突出部４０ｃを有している。突出部４０ｃの突出方向は、仮設足場１００の幅方向と交差する方向であり、この実施形態では仮設足場１００の幅方向と略直交する方向である。
【００４６】
正面側延出部４０ｂは、第１斜材１０及び第１単管建地１０１の正面視で、突出部４０ｃの突出方向先端部から第１単管建地１０１の正面側に達するまで延びる板状をなしている。正面側延出部４０ｂの延出方向は、仮設足場１００の幅方向に沿う方向（仮設足場１００の幅方向と略平行な方向）である。第１斜材１０の外径が第１単管建地１０１の外径よりも小径であることから、正面側へ突出する突出部４０ｃを設け、その突出部４０ｃの先端部に正面側延出部４０ｂを設けることで、正面側延出部４０ｂを第１単管建地１０１の正面側に接触可能な位置に配置している。これにより、正面側延出部４０ｂが第１単管建地１０１を正面側から覆うように配置されることになる。
【００４７】
正面側延出部４０ｂの先端部は、正面視において第１単管建地１０１の径方向中心部よりも第１連結部４０ａに近い側に位置している。これは、隣に配設されている単管建地用先行筋交い１の正面側延出部６０ｂ（後述する）との接触や干渉を回避するためである。また、正面側延出部４０ｂの先端部は、上下方向に延びており、第１単管建地１０１の管軸線と略平行である。第１例では、正面側延出部４０ｂの先端部が最も第１単管建地１０１に接近することになるので、正面側延出部４０ｂの先端部のみが第１単管建地１０１の外周面に接触し、正面側延出部４０ｂの先端部よりも基端側は第１単管建地１０１の外周面から離れるように配置される。
【００４８】
背面側第１被案内部４１は、正面側第１被案内部４０と対称構造とされている。すなわち、背面側第１被案内部４１は、突出部４１ｃを有する第１連結部４１ａと、正面視で第１連結部４１ａから第１単管建地１０１の背面側（裏面側）まで延びる背面側延出部４１ｂとを備えている。背面側延出部４１ｂと正面側延出部４０ｂとは互いに所定距離を隔てて対向するように配置されるとともに、互いに略平行に延びている。背面側延出部４１ｂと正面側延出部４０ｂとは、延出方向先端側へ行くほど互いに離れるように形成されていてもよい。
【００４９】
背面側延出部４１ｂの先端部のみが、正面側延出部４０ｂとは反対側から第１単管建地１０１の外周面に接触し、背面側延出部４１ｂの先端部よりも基端側は第１単管建地１０１の外周面から離れるように配置される。また、背面側延出部４１ｂの先端部と、正面側延出部４０ｂの先端部との離間寸法は、第１単管建地１０１の外径寸法以上に設定されており、背面側延出部４１ｂの先端部と、正面側延出部４０ｂの先端部との間は開放されている。この開放部分から第１単管建地１０１を正面側延出部４０ｂと背面側延出部４１ｂとの間に入れることが可能になっている。
【００５０】
また、便宜上、図１２Ａ及び図１２Ｂを用いて説明するが、第２斜材２０の上部には、第１例に係る正面側第２被案内部６０及び背面側第２被案内部６１が設けられている。正面側第２被案内部６０は、正面側第１被案内部４０と同様に構成されており、第１連結部６０ａと正面側延出部６０ｂとを備えており、第１連結部６０ａは突出部６０ｃを有している。また、背面側第２被案内部６１は、背面側第１被案内部４１と同様に構成されており、第１連結部６１ａと背面側延出部６１ｂとを備えている。第１連結部６１ａは突出部６１ｃを有している。正面側第２被案内部６０及び背面側第２被案内部６１の一方のみ設けて他方を省略してもよい。
【００５１】
（施工要領）
次に、仮設足場１００の施工要領について説明する。まず、図２に示すように、単管ベース１０５及び第１〜第４単管建地１０１〜１０４を設置するとともに、根がらみ１０６を設置する。第１〜第４単管建地１０１〜１０４を立てる前に、図６に示すようなフランジ型のクランプ部材２００または図９に示すようなポケット型のクランプ部材２００を第１〜第４単管建地１０１〜１０４の所定高さにそれぞれ固定しておく。このとき、１階用筋交い１０７の高さ、単管建地用先行筋交い１の高さ及び数は予め決まっているので、クランプ部材２００の個数、各クランプ部材２００の高さは事前に分かっている。この情報に基づいて第１〜第４単管建地１０１〜１０４の所定の位置にクランプ部材２００を固定しておくことができる。このとき、第１上側クランプ部材２００Ａ及び第２上側クランプ部材２００Ｃは相対的に上に位置する部材であるため、第１〜第４単管建地１０１〜１０４には固定せずに、第１下側クランプ部材２００Ｄ及び第２下側クランプ部材２００Ｂを第１〜第４単管建地１０１〜１０４に固定しておけばよい。尚、第１上側クランプ部材２００Ａ及び第２上側クランプ部材２００Ｃも第１〜第４単管建地１０１〜１０４に固定しておいてもよい。
【００５２】
その後、１階用筋交い１０７を用いて、第１単管建地１０１と第２単管足場１０２とを連結し、第２単管建地１０２と第３単管足場１０３とを連結し、第３単管建地１０３と第４単管足場１０４とを連結する。以上のようにして１階用筋交い１０７の設置が終了する。
【００５３】
１階用筋交い１０７の設置が終了すると、２階部分の足場板１１０を設置する前に、図３に示すように、足場板１１０の設置に先行して単管建地用先行筋交い１を２階部分に設置する。このとき、２階部分にはまだ足場板１１０が設置されていないので、作業者は、単管建地用先行筋交い１を階下（１階）から階上（２階）へ移動させることになる。すなわち、はじめに作業者は地面に立ち、単管建地用先行筋交い１の第１斜材１０及び第２斜材２０の下側部分を持った後、第１斜材１０の上部にある正面側第１被案内部４０の正面側延出部４０ｂと、背面側第１被案内部４１の背面側延出部４１ｂとの間に、第１単管建地１０１を入れる。また、第２斜材２０の上部にある正面側第２被案内部６０の正面側延出部６０ｂと、背面側第２被案内部６１の背面側延出部６１ｂとの間に、第２単管建地１０２を入れる。
【００５４】
その後、作業者が第１斜材１０及び第２斜材２０の下側部分を持ったまま上昇させる。このとき、第１斜材１０の上部から離れたところを持っているので、第１斜材１０がぐらつきやすいが、本例では、正面側延出部４０ｂが第１単管建地１０１の外周面に対して正面側から接触し、また、背面側延出部４１ｂが第１単管建地１０１の外周面に対して背面側から接触するので、第１斜材１０が第１単管建地１０１によって上方へ案内される。
【００５５】
また、第２斜材２０もぐらつきやすいが、第２斜材２０側の正面側延出部６０ｂが第２単管建地１０２の外周面に対して正面側から接触し、また、背面側延出部６１ｂが第２単管建地１０２の外周面に対して背面側から接触するので、第２斜材２０が第２単管建地１０２によって上方へ案内される。これにより、第１斜材１０及び第２斜材２０の正面側への倒れ、背面側への倒れが抑制されるので、第１斜材１０及び第２斜材２０をスムーズに上方へ移動させることができる。尚、第２斜材２０の上部に正面側第２被案内部６０及び背面側第２被案内部６１を設けることなく、第１斜材１０の上部にのみ正面側第１被案内部４０及び背面側第１被案内部４１を設けてもよい。この場合は、第１斜材１０のみが第１単管建地１０１によって案内されることになるが、第１斜材１０が案内されることで、第２斜材２０も同方向に容易に移動させることが可能になり、施工性は良好である。
【００５６】
単管建地用先行筋交い１を２階まで移動させた後、第１斜材１０の第１下部楔材１２を第２下側クランプ部材２００Ｂに連結し、第２斜材２０の第２下部楔材２２を第１下側クランプ部材２００Ｄに連結する。これにより、単管建地用先行筋交い１の下部が第１単管建地１０１及び第２単管建地１０２に強固に固定される。このとき、第１上側クランプ部材２００Ａ及び第２上側クランプ部材２００Ｃが固定されていない場合には、第１上部楔材１１及び第２上部楔材２１は連結されることなく、フリーな状態になるが、第１被案内部４０、４１及び第２被案内部６０、６１によって単管建地用先行筋交い１の倒れが抑制される。
【００５７】
尚、第１上側クランプ部材２００Ａ及び第２上側クランプ部材２００Ｃが既に固定されている場合には、第１斜材１０の第１上部楔材１１を第１上側クランプ部材２００Ａに連結し、第２斜材２０の第２上部楔材２１を第２上側クランプ部材２００Ｃに連結してもよい。
【００５８】
次いで、図４に示すように、第２単管建地１０２と第３単管建地１０３とを連結する単管建地用先行筋交い１を同様にして２階まで移動させた後、クランプ部材２００に連結する。また、第３単管建地１０３と第４単管建地１０４とを連結する単管建地用先行筋交い１を同様にして２階まで移動させた後、クランプ部材２００に連結する。このようにして２階部分に単管建地用先行筋交い１を設置した後、図５に示すように、全ての２階部分の足場板１１０を従来の方法で設置する。
【００５９】
２階部分の足場板１１０の設置が完了した後、第１上側クランプ部材２００Ａ及び第２上側クランプ部材２００Ｃを第１単管建地１０１及び第２単管建地１０２にそれぞれ固定し、第１斜材１０の第１上部楔材１１を第１上側クランプ部材２００Ａに連結し、第２斜材２０の第２上部楔材２１を第２上側クランプ部材２００Ｃに連結する。
【００６０】
また、図示しないが、２階部分の足場板１１０が設置された後、３階部分がある場合には、３階部分の足場板の設置に先行して、２階の足場板１１０に立っている作業者が単管建地用先行筋交い１を２階から３階へ移動させて設置する。
【００６１】
（実施形態の作用効果）
以上説明したように、この実施形態によれば、多層階の仮設足場１００を構築する際に、階上の足場板１１０の設置に先行して、階下から階上へ単管建地用先行筋交い１を移動させて階上に上げるとき、第１斜材１０の上部に設けられている第１被案内部４０、４１が第１単管建地１０１の外周面に接触し、当該外周面によって上方に案内され、また、第２斜材２０の上部に設けられている第２被案内部６０、６１が第２単管建地１０２の外周面に接触し、当該外周面によって上方に案内されるので、単管建地用先行筋交い１を第１単管建地１０１及び第２単管建地１０２に沿って安定した状態で上方へ移動させることが可能になる。これにより、単管建地用先行筋交い１の施工性が向上し、短時間での設置が可能になる。
【００６２】
（変形例）
本発明は上述した実施形態に限られるものではなく、第１被案内部及び第２被案内部については様々な変形例を適用することができる。以下、第１被案内部及び第２被案内部の変形例について詳細に説明する。上述した第１に係る第１被案内部４０、４１及び第２被案内部６０、６１と同じ部分には同じ符号を付して説明を省略し、第１例とは異なる部分について詳細に説明する。
【００６３】
図１３Ａ及び図１３Ｂは、第２例に係る第１被案内部４０、４１及び第２被案内部６０、６１を示すものである。正面側第１被案内部４０の正面側延出部４０ｂは、その上縁部が延出方向先端側へ行くほど下に位置するように傾斜しており、正面側延出部４０ｂの上下方向の寸法は先端側へ行くほど短くなっている。正面側延出部４０ｂの先端部は、正面視において第１単管建地１０１の径方向中心部よりも正面側第２被案内部６０の第１連結部６０ａに近い側まで延びている。同様に、背面側第１被案内部４１の背面側延出部４１ｂも、その上縁部が延出方向先端側へ行くほど下に位置するように傾斜している。背面側延出部４１ｂの先端部は、背面視（仮設足場１００の背面側から見たとき）において第１単管建地１０１の径方向中心部よりも背面側第２被案内部６１の第２連結部６１ａに近い側まで延びている。
【００６４】
正面側第２被案内部６０の正面側延出部６０ｂは、その下縁部が延出方向先端側へ行くほど下に位置するように傾斜しており、正面側延出部４０ｂの上縁部に沿うように延びている。また、背面側第２被案内部６１の背面側延出部６１ｂも、その下縁部が延出方向先端側へ行くほど下に位置するように傾斜しており、背面側第１延出部４１ｂの上縁部に沿うように延びている。
【００６５】
図１４は、第３例に係る第１被案内部４０及び第２被案内部６０を示すものである。正面側第１被案内部４０の正面側延出部４０ｂの上下方向の寸法は、第１連結部４０ａの上下方向の寸法よりも短く設定されており、１／２以下とされている。この正面側延出部４０ｂは下に偏位している。正面側延出部４０ｂの先端部は、正面視において第１単管建地１０１の径方向中心部よりも正面側第２被案内部６０の第１連結部６０ａに近い側まで延びている。図示しないが、背面側第１被案内部も同様に構成されている。
【００６６】
正面側第２被案内部６０の正面側延出部６０ｂの上下方向の寸法は、第２連結部６０ａの上下方向の寸法よりも短く設定されており、１／２以下とされている。この正面側延出部６０ｂは上に偏位しており、正面側延出部４０ｂの真上に位置付けられるようになっている。正面側延出部６０ｂの先端部は、正面視において第１単管建地１０１の径方向中心部よりも正面側第１被案内部４０の第１連結部４０ａに近い側まで延びている。図示しないが、背面側第２被案内部も同様に構成されている。
【００６７】
図１５Ａ及び図１５Ｂは、第４例に係る第１被案内部４０、４１及び第２被案内部６０、６１を示すものである。正面側延出部４０ｂの先端部は、正面視において第１単管建地１０１の径方向中心部よりも第１連結部４０ａに近くなっている。背面側延出部４１ｂの先端部は、背面視において第１単管建地１０１の径方向中心部よりも背面側第２被案内部６１の第１連結部６１ａに近い側まで延びている。
【００６８】
正面側第２被案内部６０の正面側延出部６０ｂの先端部は、正面視において第１単管建地１０１の径方向中心部よりも第１連結部４０ａに近くなっている。背面側第２被案内部６１の背面側延出部６１ｂの先端部は、背面視において第１単管建地１０１の径方向中心部よりも第１連結部６１ａに近くなっている。
【００６９】
図１６Ａ及び図１６Ｂは、第５例に係る第１被案内部４０、４１を示すものである。正面側第１被案内部４０の正面側延出部４０ｂは、正面視で第１単管建地１０１の径方向外方まで延出しており、正面側延出部４０ｂの先端側は第１単管建地１０１と重複しない部分を有している。正面側延出部４０ｂの先端側には、正面視で第１単管建地１０１と重複しない部分に貫通孔４０ｄが形成されている。
【００７０】
また、背面側第１被案内部４１の背面側延出部４１ｂは、正面側と同様に背面視で第１単管建地１０１の径方向外方まで延出しており、背面側延出部４１ｂの先端側は第１単管建地１０１と重複しない部分を有している。背面側延出部４１ｂの先端側には、背面視で第１単管建地１０１と重複しない部分に貫通孔４１ｄが形成されている。
【００７１】
正面側の貫通孔４０ｄと、背面側の貫通孔４１ｄには、正面側から背面側まで延びるロックピン４３が挿入されるようになっている。ロックピン４３は、正面側第１被案内部４０または背面側第１被案内部４１に対してワイヤー等の落下防止部材（図示せず）で連結されている。尚、このロックピン４３は、省略してもよい。
【００７２】
図１７は、第６例に係る第１被案内部４０、４１及び第２被案内部６０、６１を示すものである。第６例では、正面側第１被案内部４０の正面側延出部４０ｂの基端側は第１単管建地１０１の外周面に接触するように仮設足場１００の幅方向（図１７の左右方向）に対して傾斜している。正面側延出部４０ｂの先端側は仮設足場１００の幅方向に沿うように延出している。背面側延出部４１ｂ、正面側延出部６０ｂ、背面側延出部６１ｂも同様に形成されている。
【００７３】
図１８は、第７例に係る第１被案内部４０、４１及び第２被案内部６０、６１を示すものである。第７例では、正面側第１被案内部４０の正面側延出部４０ｂは、第１単管建地１０１の外周面に接触するように仮設足場１００の幅方向に対して傾斜した傾斜板部で構成されている。正面側延出部４０ｂの延出方向の寸法は、図１７に示す第６例の正面側延出部４０ｂに比べて短く設定されており、正面側延出部４０ｂは、仮設足場１００の幅方向に沿って延びる部分を有していない。背面側延出部４１ｂ、正面側延出部６０ｂ、背面側延出部６１ｂも同様に形成されている。
【００７４】
図１９は、第８例に係る第１被案内部４０、４１及び第２被案内部６０、６１を示すものである。第８例では、正面側第１被案内部４０の正面側延出部４０ｂは、その全体が第１単管建地１０１の外周面に接触するように湾曲した湾曲板部で構成されている。正面側延出部４０ｂの曲率は、第１単管建地１０１の外周面の曲率と略等しく設定されており、正面側延出部４０ｂが第１単管建地１０１の外周面に沿う形状となっている。背面側延出部４１ｂ、正面側延出部６０ｂ、背面側延出部６１ｂも同様に形成されている。
【００７５】
図２０は、第９例に係る第１被案内部４０、４１及び第２被案内部６０、６１を示すものである。第９例では、正面側第１被案内部４０の正面側延出部４０ｂは、その全体が第１単管建地１０１の外周面に接触するように湾曲した湾曲板部で構成されている。正面側第２被案内部６０の正面側延出部６０ｂ、背面側第１被案内部４１の背面側延出部４１ｂ及び背面側第２被案内部６１の背面側延出部６１ｂも同様に湾曲している。
【００７６】
正面側延出部４０ｂの先端部は、正面視において第１単管建地１０１の径方向中心部よりも正面側第２被案内部６０の第１連結部６０ａに近い側まで延びている。背面側延出部４１ｂの先端部は、背面視において第１単管建地１０１の径方向中心部よりも第１連結部４１ａに近くなっている。
【００７７】
また、正面側第２被案内部６０の正面側延出部６０ｂの先端部は、正面視において第１単管建地１０１の径方向中心部よりも正面側第２被案内部６０の第１連結部６０ａに近くなっている。背面側第２被案内部６１の背面側延出部６１ｂの先端部は、背面視において第１単管建地１０１の径方向中心部よりも背面側第１被案内部４１の第１連結部４１ａに近い側まで延びている。
【００７８】
図２１Ａ及び図２１Ｂは、第１０例に係る第１被案内部５０を示すものである。第１０例では、第１斜材１０の上部の正面側に連結される正面側第１連結部５１と、第１斜材１０の上部の背面側に連結される背面側第１連結部５２と、ループ形成部５３とを有している。正面側第１連結部５１及び背面側第１連結部５２は、例えば金属製の板材等で構成されており、上下方向及び仮設足場１００の幅方向に沿うように延びている。正面側第１連結部５１及び背面側第１連結部５２により、第１斜材１０の上部が挟まれた状態になっている。正面側第１連結部５１及び背面側第１連結部５２は、例えば溶接、ボルト及びナット等の締結部材によって第１斜材１０に固定されている。
【００７９】
ループ形成部５３は、丈夫で耐摩耗性を有し、かつ柔軟性を持った材料で構成されており、帯状または紐状に形成されたものを用いることができる。ループ形成部５３の材料としては、例えば天然皮革、人工皮革、ロープ、テグス、樹脂製繊維や天然繊維からなる布材等を挙げることができる。
【００８０】
ループ形成部５３の一端部は正面側第１連結部５１に固定されている。正面側第１連結部５１には、ループ形成部５３の一端部を固定するためのピンやボルト、ナット等からなる固定部材５１ａが設けられている。また、ループ形成部５３の他端部は背面側第１連結部５２に正面側と同様な固定部材５２ａにより固定されている。
【００８１】
ループ形成部５３の一端部及び他端部を正面側第１連結部５１及び背面側第１連結部５２に固定することで、ループ形成部５３はループ状をなす。このループ内に第１単管建地１０１を配置することで、ループ形成部５３が第１単管建地１０１の外周面に接触し、当該外周面によって上下方向に案内される。ループ形成部５３で形成されたループ内に第１単管建地１０１を配置する際には、例えばループ形成部５３の一端部を非固定状態にしておき、ループ形成部５３を第１単管建地１０１に巻き付けた後、ループ形成部５３の他端部を背面側第１連結部５２に固定すればよい。図示しないが、第２被案内部も同様に構成することができる。
【００８２】
図２２Ａ及び図２２Ｂは、第１１例に係る第１被案内部４０、６０及び第２被案内部４１、６１を示すものである。第１１例では、ローラ４５、６５を設けている点で他の例とは異なっている。すなわち、正面側第１被案内部４０の第１連結部４０ａと、背面側第１被案内部４１の第１連結部４１ａとの間には、第１ローラ４５が配設されている。この第１ローラ４５は、仮設足場１００の幅方向と直交する水平方向に延びる支軸４６によって回転可能に支持されている。支軸４６の両端部は、第１連結部４０ａ、４１ａに取り付けられている。第１ローラ４５の外周面は、第１単管建地１０１の外周面に接触する面である。第１ローラ４５が第１単管建地１０１の外周面に接触し、当該外周面によって上下方向に案内される。
【００８３】
また、正面側第２被案内部６０の第１連結部６０ａと、背面側第２被案内部６１の第１連結部６１ａとの間には、第２ローラ６５が配設されている。この第２ローラ６５は、第１ローラ４５と同様に、支軸６６によって回転可能に支持されている。支軸６６の両端部は、第１連結部６０ａ、６１ａに取り付けられている。第２ローラ６５は第１単管建地１０１の外周面に接触し、当該外周面によって上下方向に案内される。
【００８４】
図２３Ａ及び図２３Ｂは、第１２例に係る第１被案内部４０、４１及び第２被案内部６０、６１を示すものである。第１２例では、正面側第１被案内部４０の第１連結部４０ａと正面側延出部４０ｂとが別部材で構成されており、正面側延出部４０ｂが第１連結部４０ａに対して第１連結軸４７によって回動可能に連結されている。第１連結軸４７は、仮設足場１００の幅方向と直交する水平方向に延びている。また、背面側第１被案内部４１の背面側延出部４１ｂは第１連結部４１ａに対して第１連結軸４７によって回動可能に連結されている。正面側延出部４０ｂ及び背面側延出部４１ｂは、図２３Ｂに示すように水平方向へ延出する案内時の姿勢から下方へ向けて回動しないようになっており、これはストッパ等を設けておくことで可能になる。正面側延出部４０ｂ及び背面側延出部４１ｂは、案内時の姿勢としておくことで、第１単管建地１０１の外周面に接触し、当該外周面によって上下方向に案内される。正面側延出部４０ｂ及び背面側延出部４１ｂは案内時の姿勢にあるときには上方へのみ回動可能である。単管建地用先行筋交い１の設置が完了した後、正面側延出部４０ｂ及び背面側延出部４１ｂを仮想線に示すように下向きの姿勢に変化させることができる。正面側延出部６０ｂ及び背面側延出部６１ｂも同様である。
【００８５】
図２４Ａ及び図２４Ｂは、第１３例に係る第１被案内部４０、４１及び第２被案内部６０、６１を示すものである。第１３例では、正面側第１被案内部４０の第１連結部４０ａと正面側延出部４０ｂとが別部材で構成されている。正面側延出部４０ｂには長穴４０ｅが形成されており、この長穴４０ｅには、第１連結部４０ａに取り付けられた第１支軸４８が挿通されている。長穴４０ｅ内を第１支軸４８が当該長穴４０ｅの長手方向に相対移動可能になっている。したがって、正面側延出部４０ｂは、第１連結部４０ａに対して第１支軸４８によってスライド可能に連結されることになる。第１支軸４８は、仮設足場１００の幅方向と直交する水平方向に延びている。また、背面側第１被案内部４１の背面側延出部４１ｂは第１連結部４１ａに対して第１支軸４８によってスライド可能に連結されている。
【００８６】
第２被案内部６０の正面側延出部６０ｂにも長穴６０ｅが形成されており、この長穴６０ｅには、第１連結部６０ａに取り付けられた第２支軸６８が挿通されている。したがって、正面側延出部６０ｂは、第１連結部６０ａに対して第２支軸６８によってスライド可能に連結されることになる。また、背面側第２被案内部６１の背面側延出部６１ｂは第１連結部６１ａに対して第２支軸６８によってスライド可能に連結されている。
【００８７】
正面側延出部４０ｂ及び背面側延出部４１ｂは、図２４Ｂに示すように水平方向へ延出する案内時の姿勢から下方へ向けて回動しないようになっており、これはストッパ等を設けておくことで可能になる。正面側延出部４０ｂ及び背面側延出部４１ｂは、案内時の姿勢としておくことで、第１単管建地１０１の外周面に接触し、当該外周面によって上下方向に案内される。正面側延出部４０ｂ及び背面側延出部４１ｂは案内時の姿勢にあるときには互いに離れる方向へスライド可能となっている。単管建地用先行筋交い１の設置が完了した後、正面側延出部４０ｂ及び背面側延出部４１ｂを互いに離れる方向へスライドさせるとともに、仮想線に示すように下向きの姿勢に変化させることができる。正面側延出部６０ｂ及び背面側延出部６１ｂも同様である。
【００８８】
（差し込み孔が２つのタイプのクランプ部材を使用した例）
図７に示すように、１つのクランプ部材２００に２つの差し込み孔２０１ａ、２０２ａが形成されている場合は、図２５に示すように第１単管建地１０１と第２単管建地１０２とを連結する布材３００と、布材３００上に設置される単管からなるころばし３０１とを使用し、ころばし３０１に足場板１１０を設置することができる。尚、この設置例は一例であり、他の設置例を採用することもできる。
【００８９】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００９０】
以上説明したように、本発明に係る単管建地用先行筋交いは、例えば多層階の仮設足場を構築する場合に使用できる。
【符号の説明】
【００９１】
１            単管建地用先行筋交い
１０          第１斜材
１１          第１上部楔材
１２          第１下部楔材
２０          第２斜材
２１          第２上部楔材
２２          第２下部楔材
３０          手摺
４０          正面側第１被案内部
４０ａ        第１連結部
４０ｂ        正面側延出部
４１          背面側第１被案内部
４１ａ        第１連結部
４１ｂ        背面側延出部
６０          正面側第２被案内部
６０ａ        第２連結部
６０ｂ        正面側延出部
６１          背面側第２被案内部
６１ａ        第２連結部
６１ｂ        背面側延出部
１００        仮設足場
１０１        第１単管建地
１０２        第２単管建地
２００Ａ      第１上側クランプ部材
２００Ｂ      第２下側クランプ部材
２００Ｃ      第２上側クランプ部材
２００Ｄ      第１下側クランプ部材
【要約】
【課題】先行筋交いの施工性を向上させて短時間での設置を可能にする。
【解決手段】単管建地用先行筋交い１は、水平方向に離れた第１単管建地と第２単管建地との間で互いに交差するように配設される第１斜材１０と第２斜材２０とを備えている。第１斜材１０及び第２斜材２０は、クランプ部材に連結される楔材１１、１２、２１、２２を備えている。第１斜材１０の上部には、第１単管建地の外周面に接触し、当該外周面によって上下方向に案内される第１被案内部４０が設けられている。
【選択図】図１【図１】
0006940905.tif 000002
【図２】
0006940905.tif 000003
【図３】
0006940905.tif 000004
【図４】
0006940905.tif 000005
【図５】
0006940905.tif 000006
【図６】
0006940905.tif 000007
【図７】
0006940905.tif 000008
【図８】
0006940905.tif 000009
【図９】
0006940905.tif 000010
【図１０】
0006940905.tif 000011
【図１１】
0006940905.tif 000012
【図１２Ａ】
0006940905.tif 000013
【図１２Ｂ】
0006940905.tif 000014
【図１３Ａ】
0006940905.tif 000015
【図１３Ｂ】
0006940905.tif 000016
【図１４】
0006940905.tif 000017
【図１５Ａ】
0006940905.tif 000018
【図１５Ｂ】
0006940905.tif 000019
【図１６Ａ】
0006940905.tif 000020
【図１６Ｂ】
0006940905.tif 000021
【図１７】
0006940905.tif 000022
【図１８】
0006940905.tif 000023
【図１９】
0006940905.tif 000024
【図２０】
0006940905.tif 000025
【図２１Ａ】
0006940905.tif 000026
【図２１Ｂ】
0006940905.tif 000027
【図２２Ａ】
0006940905.tif 000028
【図２２Ｂ】
0006940905.tif 000029
【図２３Ａ】
0006940905.tif 000030
【図２３Ｂ】
0006940905.tif 000031
【図２４Ａ】
0006940905.tif 000032
【図２４Ｂ】
0006940905.tif 000033
【図２５】
0006940905.tif 000034